(57)【要約】【課題】化粧材をより容易に貼り替えることが可能な戸体等を提供する。【解決手段】隣接空間を仕切る戸体であって、パネル状の芯材と、前記芯材の外周に設けられたエッジ材と、前記芯材及び前記エッジ材の、前記隣接空間の一方側及び他方側に各々接着されている非金属製の表面材と、各々の前記表面材に貼り付けられる化粧材と、を有し、前記エッジ材は、前記表面材の間に配置されるエッジ材本体部と、前記エッジ材本体部より前記一方側及び前記他方側に張り出して設けられ前記表面材の周端部が収容される端部収容部を前記エッジ材本体部とともに形成する張出部、を有しており、前記表面材は、当該表面材の面内方向において、前記張出部より前記表面材の中央側に、接着剤により接着されている接着部を有している。【選択図】図３
2018119279.tif 000002
【特許請求の範囲】
【請求項１】
隣接空間を仕切る戸体であって、
パネル状の芯材と、
前記芯材の外周に設けられたエッジ材と、
前記芯材及び前記エッジ材の、前記隣接空間の一方側及び他方側に各々接着されている非金属製の表面材と、
各々の前記表面材に貼り付けられる化粧材と、
を有し、
前記エッジ材は、前記表面材の間に配置されるエッジ材本体部と、前記エッジ材本体部より前記一方側及び前記他方側に張り出して設けられ前記表面材の周端部が収容される端部収容部を前記エッジ材本体部とともに形成する張出部、を有しており、
前記表面材は、当該表面材の面内方向において、前記張出部より前記表面材の中央側に、接着剤により接着されている接着部を有していることを特徴とする戸体。
【請求項２】
請求項１に記載の戸体であって、
前記エッジ材本体部は、前記面内方向において、前記張出部より前記表面材の中央側に延出されており、
各々の前記表面材と対向する位置に、当該戸体の内部側に窪み接着剤が充填される凹部を有していることを特徴とする戸体。
【請求項３】
請求項１または請求項２に記載の戸体と、
開口を形成し、当該開口を開閉自在に前記戸体を支持する枠体と、
を有することを特徴とする建具。
【発明の詳細な説明】
【技術分野】
【０００１】
本発明は、隣接空間を仕切る戸体及び建具に関する。
【背景技術】
【０００２】
室内外や隣接する部屋間等の隣接空間を仕切る戸体として、たとえば、室内外を仕切り、パネル状の芯材の室内側及び室外側に非金属製の表面材が接着され、外周部に枠状のエッジ材を備えた戸体が知られている。このような戸体は、表面材の周端部が金属製のエッジ材に収容されており、表面材には、化粧材が貼り付けられている。
【発明の概要】
【発明が解決しようとする課題】
【０００３】
上述した戸体において、化粧材が汚れた、或いは、損傷した場合、または、周りの壁紙の貼り替えに伴って戸体の化粧材も貼り替えることがある。化粧材の貼り替え時には、表面材及びエッジ材と化粧材を縁切りするために、エッジ材と化粧材との境界部分をカッター等で縁切りする場合がある。このとき、慣れない作業者は、カッターを強く化粧材に押し当ててしまい、カッターの刃が表面材をも貫通してしまう虞があり、表面材の切り離された先端側の部位のみが接着されている場合には、芯材側に貼り付けられている表面材の端部が芯材またはエッジ材から浮き上がってしまう。このため、表面材の貼り替えが難しいという課題がある。
【０００４】
本発明は、かかる課題に鑑みてなされたものであり、その目的とするところは、化粧材をより容易に貼り替えることが可能な戸体及び建具を提供することにある。
【課題を解決するための手段】
【０００５】
かかる目的を達成するために本発明の戸体は、隣接空間を仕切る戸体であって、パネル状の芯材と、前記芯材の外周に設けられたエッジ材と、前記芯材及び前記エッジ材の、前記隣接空間の一方側及び他方側に各々接着されている非金属製の表面材と、各々の前記表面材に貼り付けられる化粧材と、を有し、前記エッジ材は、前記表面材の間に配置されるエッジ材本体部と、前記エッジ材本体部より前記一方側及び前記他方側に張り出して設けられ前記表面材の周端部が収容される端部収容部を前記エッジ材本体部とともに形成する張出部、を有しており、前記表面材は、当該表面材の面内方向において、前記張出部より前記表面材の中央側に、接着剤により接着されている接着部を有していることを特徴とする戸体である。
【０００６】
このような戸体によれば、芯材及びエッジ材の、隣接空間の一方側及び他方側に各々接着され非金属製の部材でなる表面材は、周端部が、エッジ材の端部収容部に収容されており、表面材の面内方向において、端部収容部を形成する張出部より、表面材の中央側で接着されている。このため、化粧材と表面材とを縁切りするための、カッター等の刃物が、たとえ、張出部に沿って表面材を貫通したとしても、表面材において面内方向中央側の切り口となる端部は、芯材またはエッジ材本体部に接着されているので、表面材が浮き上がったり、ばたついたりする虞はない。このため、化粧材と表面材とを縁切りすべく刃物を化粧材に押圧する際に、過度に注意を払う必要はないので、化粧材をより容易に貼り替えることが可能である。
【０００７】
かかる戸体であって前記エッジ材本体部は、前記面内方向において、前記張出部より前記表面材の中央側に延出されており、各々の前記表面材と対向する位置に、当該戸体の内部側に窪み接着剤が充填される凹部を有していることが望ましい。
【０００８】
このような戸体によれば、表面材の面内方向において、張出部より、表面材の中央側に延出されているエッジ材本体部の、表面材と各々対向する位置に、接着剤が充填される凹部が設けられているので、表面材において面内方向中央側の切り口となる端部の浮きやばたつきをより確実に抑えることが可能である。
また、前記戸体と、開口を形成し、当該開口を開閉自在に前記戸体を支持する枠体と、を有することを特徴とする建具である。
このような建具によれば、化粧材をより容易に貼り替えることが可能な戸体を備えた建具を提供することが可能である。
【発明の効果】
【０００９】
本発明によれば、化粧材をより容易に貼り替えることが可能な戸体及び建具を提供することが可能である。
【図面の簡単な説明】
【００１０】
【図１】本実施形態に係る建具を示す斜視図である。
【図２】本発明に係る建具を示す縦断面図である。
【図３】本発明に係る扉の上部を示す縦断面図である。
【図４】本発明により解決される課題を説明するための図である。
【図５】本発明による作用・効果を説明するための図である。
【図６】本発明に係る扉の変形例を示す縦断面図である。
【発明を実施するための形態】
【００１１】
以下、本発明の一実施形態に係る戸体および建具について図面を参照して説明する。
本実施形態では、戸体として、隣接空間をなす室内空間と室外空間とを仕切り、図１に示すように、枠体２にピボットヒンジ３により開閉自在に支持された開き扉（以下、扉と称する）１０を備えた建具１を例に挙げて説明する。ここで、隣接空間をなす室内空間及び室外空間は、いずれが一方側又は他方側であっても構わない。
【００１２】
以下の説明においては、建具１が建物に取り付けられている状態で、上下となる方向を上下方向、左右となり扉の幅側となる方向を左右方向、室内外方向を見込み方向として示す。また、建具１を構成する各部材及び各部位については、単体の状態であっても扉が取り付けられた状態で上下方向、左右方向、見込み方向等となる方向にて方向を特定して説明する。
【００１３】
枠体２は、扉１０の上に配置される上枠２１と、扉１０の左右に配置され床４から立設された左右の縦枠２２とを有し、床４と共に扉１０により開閉可能な開口２ａを形成する。上枠２１、及び、左右の縦枠２２は、何れも金属製、例えば、アルミニウム製の押出成形部材であり、右側の縦枠２２の上下端に、扉１０を支持するピボットヒンジ３が設けられている。
【００１４】
扉１０は、図２、図３に示すように、芯材としてのダンボールコア１１と、ダンボールコア１１の外周を囲むようにダンボールコア１１の各端面と対向して外周に設けられたエッジ材１２と、ダンボールコア１１及びエッジ材１２の室内側及び室外側にそれぞれ接着剤１３により接着された表面材１４と、表面材１４の外側、すなわち、室内側の表面材１４の室内面及び室外側の表面材１４の室外面に貼り付けられた化粧材１５と、を有している。ダンボールコア１１は、扉１０より、高さ、幅共に僅かに小さな矩形状をなしている。
【００１５】
表面材１４は、たとえば、グルーサンド紙などの紙製の部材であり、ダンボールコア１１よりも大きな矩形状をなしている。また、表面材１４は、ダンボールコア１１の外周に全周に渡って突出するように、ダンボールコア１１の室内面及び室外面に貼り付けられている。以下の扉１０の説明においては、表面材１４の面内方向において、エッジ材１２側を外周側とし、表面材１４の中央側を内周側として説明する。
【００１６】
ダンボールコア１１に表面材１４が貼り付けられると、対向する表面材１４の端部と、ダンボールコア１１の端面とにより、外周部分に全周に渡って、溝状のエッジ材収容部１０ａが形成される。エッジ材収容部１０ａには、エッジ材１２の後述するエッジ材本体部１２ａが収容され、表面材１４の端部が室内側及び室外側に接着される。
【００１７】
エッジ材１２は、アルミニウム製の押出成形部材であり、ダンボールコア１１の外周部に設けられるエッジ材本体部１２ａと、エッジ材本体部１２ａより室内側及び室外側に張り出している張出部１２ｂと、を有している。
【００１８】
エッジ材本体部１２ａは、長手方向に貫通し、断面が略矩形状をなす中空部１２ｃを形成している。エッジ材本体部１２ａは、見込み方向の幅が、ダンボールコア１１の厚みと同じ幅をなし、エッジ材収容部１０ａに収容されたときに、エッジ材１２の外周側の部位が、表面材１４より外周側に僅かに突出するように形成されている。以下の説明においては、中空部１２ｃを形成するエッジ材本体部１２ａの外周側に位置する部位を外周壁部１２ｄ、中空部１２ｃを形成し見込み方向に対向する部位を対向壁部１２ｅ、内周側に位置してダンボールコア１１と対向する部位を内周壁部１２ｆとして説明する。
【００１９】
エッジ材本体部１２ａの外周壁部１２ｄは、室内側及び室外側にそれぞれ延出された見込み方向延出部１２ｇが設けられており、見込み方向延出部１２ｇの先端から各々、対向壁部１２ｅと間隔を空けて対向するように面内延出部１２ｈが延出されている。ここで、見込み方向延出部１２ｇ、及び、面内延出部１２ｈが張出部１２ｂに相当する。
【００２０】
対向壁部１２ｅには、外周壁部１２ｄ側の部位に、見込み方向において中空部１２ｃの中央側に窪む凹部１２ｉが設けられている。凹部１２ｉは、長手方向に沿って設けられており、その幅Ｌ１は、見込み方向延出部１２ｇから延出されている面内延出部１２ｈの延出量Ｌ２より広く形成されている。このため、凹部１２ｉは、面内延出部１２ｈの先端より内周壁部１２ｆ側まで設けられている。
【００２１】
凹部１２gには、表面材１４をエッジ材１２の対向壁部１２ｅに接着するための接着剤１３が充填される。このため、本実施形態の扉１０は、面内延出部１２ｈの先端の縁１２ｊを挟んで、外周側から内周側に渡って表面材１４が対向壁部１２ｅに接着されている。すなわち、表面材１４は、少なくとも面内延出部１２ｈの先端の縁１２ｊより内周側に接着剤１３に接着されている接着部を有している。
【００２２】
エッジ材１２の室内側及び室外側に設けられ、対向壁部１２ｅ、見込み方向延出部１２ｇ、面内延出部１２ｈにより形成される溝状の部位は、各々、室内側及び室外側の表面材１４の外周縁をなす端部が収容される端部収容部１２ｋをなしている。
【００２３】
４本のエッジ材１２は、上下に位置するエッジ材１２に左右に位置するエッジ材１２がビス止めされて矩形状をなしており、ダンボールコア１１、表面材１４、及び、４本のエッジ材１２に囲まれた内側にて外部に露出する表面材１４の表面に貼り付けられた壁紙等の化粧材１５により扉１０が構成されている。
【００２４】
扉１０は、表面に貼られている化粧材１５が汚れたり、損傷したりした場合には、新たな化粧材に貼り替えられる。このとき、まず、既存の化粧材１５が剥がされる。
【００２５】
既存の化粧材１５を剥がす場合には、カッターなどの刃物を用い、エッジ材１２の面内延出部１２ｈの先端の縁１２ｊに沿って、表面材１４と既存の化粧材１５との縁を切る。化粧材１５と表面材１４との縁を確実に切るべく、刃物を過度に強く化粧材１５側に押し当てると、薄い化粧材１５とともに表面材１４をも切断してしまう虞がある。
【００２６】
本実施形態の扉１０は、ダンボールコア１１及びエッジ材１２の室内側及び室外側に各々接着され非金属製の部材でなる表面材１４は、周端部が、エッジ材１２において、表面材１４の間に配置されるエッジ材本体部１２ａと張出部１２ｂとにより形成される端部収容部１２ｋに収容されており、表面材１４が、面内延出部１２ｈの先端の縁１２ｊより内周側まで設けられた凹部１２ｉに充填された接着剤１３により対向壁部１２ｅと接着されている。
【００２７】
このため、表面材１４と既存の化粧材１５との縁を切る際に、たとえ誤って表面材１４に刃物を貫通させてしまったとしても、表面材１４の切り口となる端部は、エッジ材本体部１２ａに接着されているので、図４に示すように、表面材１４において面内方向中央側の切り口となる端部が対向壁部１２ｅから浮き上がって、ばたつくことはなく、図５に示すように表面材１４がエッジ材本体部１２ａに貼り付いている状態を維持することが可能である。
【００２８】
このため、化粧材１５と表面材１４とを縁切りすべく刃物を化粧材１５に押圧する際に、過度に注意を払う必要はない。よって、化粧材１５をより容易に貼り替えることが可能な扉１０、及び、この扉１０を備えた建具１を提供することが可能である。
【００２９】
上記実施形態においては、エッジ材本体部１２ａの対向壁部１２ｅに接着剤１３が充填される凹部１２ｉが設けられている例について説明したが、これに限らず、図６に示すように、表面材１４の面内方向において面内延出部１２ｈの先端の縁１２ｊより内周側が接着剤により接着されている構成であれば、凹部は、必ずしも設けられていなくとも構わない。
【００３０】
上記実施形態においては、扉が仕切る隣接空間を室内空間と室外空間としたが、これに限らず、たとえば、隣接する２つの部屋の間を仕切る、すなわち、何れもが室内空間となる隣接空間を仕切る扉であっても構わない。
【００３１】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３２】
１  建具、２  枠体、２ａ  開口、１０  扉、１０ａ  エッジ材収容部、
１１  ダンボールコア、１２  エッジ材、１２ａ  エッジ材本体部、
１２ｂ  張出部、１２ｇ  見込み方向延出部、１２ｈ  面内延出部、
１２ｉ  凹部、１２ｋ  端部収容部、１３  接着剤、１４  表面材、
１５  化粧材、
【図１】
2018119279.tif 000003
【図２】
2018119279.tif 000004
【図３】
2018119279.tif 000005
【図４】
2018119279.tif 000006
【図５】
2018119279.tif 000007
【図６】
2018119279.tif 000008